(57)【要約】【課題】基板の厚み方向について小型化が可能な電子制御装置を提供すること。【解決手段】回路基板（２０）は、コネクタ（３０）が実装される部位を切り欠くことでコネクタ（３０）を嵌め込む切り欠き部（２３）と、この切り欠き部（２３）の縁部（２４）に空けられた固定穴（２７）と、を有する。コネクタ（３０）の側面（５）には、縁部（２４）に当接する鍔部（４７）が形成される。この鍔部（４７）は、固定穴（２７）に嵌め込まれて固定される突出部（４８）を有する。【選択図】図１
2019046602.tif 000002
【特許請求の範囲】
【請求項１】
回路基板と、この回路基板に実装されるコネクタと、を有する電子制御装置において、
前記回路基板は、前記コネクタが実装される部位を切り欠くことで前記コネクタを嵌め込む切り欠き部と、この切り欠き部の縁部に空けられた固定穴と、を有し、
前記コネクタの側面には、前記縁部に当接する鍔部が形成され、この鍔部は、前記固定穴に嵌め込まれて固定される突出部を有することを特徴とする電子制御装置。
【発明の詳細な説明】
【技術分野】
【０００１】
本発明は、コネクタが実装された回路基板を備える電子制御装置に関する。
【背景技術】
【０００２】
電子制御装置は、回路基板に電子部品が実装されて構成されている。電子部品として、制御対象となる機器と回路基板を電気的に接続するコネクタがある。コネクタが実装された回路基板を備える電子制御装置として、特許文献１に開示された従来技術がある。
【０００３】
特許文献１に開示された電子制御装置は、コネクタが実装された回路基板と、回路基板の実装面部を覆う第１のケース半体と、回路基板の実装面部とは反対の平面部を覆う第２のケース半体と、からなる。この電子制御装置は、車両に搭載され、車両のドアの開閉を制御する。
【先行技術文献】
【特許文献】
【０００４】
【特許文献１】特開２０１２−２０９３０８号公報
【発明の概要】
【発明が解決しようとする課題】
【０００５】
車両には、ドアを開閉する電子制御装置のみならず、他の機器を制御する装置も搭載される。そのため、複数の電子制御装置を収納するためのスペースの確保が必要となり、小型の電子制御装置が求められる。
【０００６】
回路基板に実装される電子部品のなかで、実装面部からの高さが最も高い部品は、コネクタであることが多い。そのため、電子制御装置を小型化するために、例えば、コネクタのハウジングの高さを低くすることが考えられる。しかし、ハウジングを低くすると、ハウジングに差し込まれるケーブルの変更も必要となり、コストが嵩む。
【０００７】
コネクタを小型化せずに、コネクタが実装された回路基板の厚み方向の寸法を短くできれば、第１のケース半体も小型化でき、電子制御装置を小型化できる。
【０００８】
本発明は、回路基板の厚み方向について小型化が可能な電子制御装置の提供を課題とする。
【課題を解決するための手段】
【０００９】
請求項１による発明によれば、回路基板と、この回路基板に実装されるコネクタと、を有する電子制御装置において、
前記回路基板は、前記コネクタが実装される部位を切り欠くことで前記コネクタを嵌め込む切り欠き部と、この切り欠き部の縁部に空けられた固定穴と、を有し、
前記コネクタの側面には、前記縁部に当接する鍔部が形成され、この鍔部は、前記固定穴に嵌め込まれて固定される突出部を有することを特徴とする電子制御装置が提供される。
【発明の効果】
【００１０】
請求項１に係る発明では、回路基板は、コネクタが実装される部位を切り欠くことでコネクタを嵌め込む切り欠き部を有する。即ち、回路基板の厚み方向において、回路基板とコネクタの一部は、重なっており、コネクタの一部の高さが、回路基板の厚みに吸収されている。結果、基板の厚み方向について、電子制御装置を小型化することができる。
【図面の簡単な説明】
【００１１】
【図１】本発明の実施例による電子制御装置の分解斜視図である。
【図２】図１に示された電子制御装置の正面図及び要部拡大図である。
【発明を実施するための形態】
【００１２】
本発明の実施の形態を添付図に基づいて以下に説明する。なお、図中Ｆｒは前、Ｒｒは後、Ｌは左、Ｒは右、Ｕｐは上、Ｄｎは下を示している。これらの方向は、本発明を説明するための便宜的なものであり、本発明を構成する要素の位置を限定するものでない。
＜実施例＞
【００１３】
図１には、本発明の実施例によるが示されている。この電子制御装置１０は、例えば、車両に搭載される。 
【００１４】
電子制御装置１０は、電子部品が実装可能な回路基板２０と、この回路基板２０の上面に実装され他の機器と電気的に接続するコネクタ３０と、を備えている。電子制御装置１０には、他の電子部品も実装され、ケースに収納される。ケース及び車両についての説明及び図面は省略する。 
【００１５】
回路基板２０は、導電パターンが両面に印刷された両面基板である。コネクタ３０が実装される面を実装面部２１とし、コネクタ３０が実装されていない面を平面部２２と、する。
【００１６】
回路基板２０は、コネクタ３０が実装される部位を切り欠くことでコネクタ３０を嵌め込む切り欠き部２３を有する。この切り欠き部２３は、略矩形形状を呈し、回路基板２０の前部の一部が抉られて形成されている。
【００１７】
切り欠き部２３の縁部２４は、コネクタ３０の長手方向に延びる第１の直線部２５と、第１の直線部２５の両端から前方に延びる２つの第２の直線部２６,２６、とからなる。第２の直線部２６,２６には、それぞれ、複数（例えば３つ）の固定穴２７が空けられている。固定穴２７は、前後方向に等間隔で位置している。
【００１８】
コネクタ３０は、複数のリード端子３１と、これらのリード端子３１を支持すると共に収納するハウジング４０と、からなる。
【００１９】
ハウジング４０は、切り欠き部２３に嵌め込まれる嵌め込み部４１を有する。嵌め込み部４１と回路基板２０の切り欠き部２３との間には、僅かなクリアランスが形成される。
コネクタ３０は、表面実装型である。コネクタ３０のリード端子３１は、導電パターンにはんだ付けされて、導電パターンと電気的に接続する。
【００２０】
図２（ａ）を参照する。ハウジング４０は、正面視で、下方に突出した凸形状を呈する。
【００２１】
ハウジング４０の外形となる面として、水平方向に延びる第１の底面部４２、この第１の底面部４２の両端から上方に延びる２つの第１の側面部４３,４３、それぞれの第１の側面部４３,４３の上端から水平に延びる２つの第２の底面部４４,４４と、それぞれの第２の底面部４４,４４の端部から上方に延びる２つの第２の側面部４５,４５と、２つの第２の側面部４５,４５の上端を繋ぐ上面部４６とする。
【００２２】
第２の側面部４５,４５の下端には、それぞれ、水平に延びる鍔部４７,４７が形成されている。鍔部４７,４７は、それぞれ、第１の底面部４２側に延びる固定ピン４８,４８（突出部４８,４８）を有する。
【００２３】
図２（ｂ）を参照する。コネクタ３０が回路基板２０に嵌め込まれた状態における、左側の鍔部４７周辺の構成について説明する。
【００２４】
第２の底面部４４及び第２の鍔部４７は、共に、実装面部２１に当接している。第１の側面部４３と第２の直線部２６の鉛直面部２８との間には、僅かなクリアランスが形成されると共に、第１の側面部４３は鉛直面部２８と接している。固定ピン４８は、固定穴２７に嵌め込まれて固定されている。第１の底面部４２と、平面部２２とは、同一平面状に位置する。
【００２５】
コネクタ３０が実装された回路基板２０の電子制御装置１０の高さを、高さＨとする。回路基板２０の厚み（平面部２２から実装面部２１までの寸法）を、厚さＤとする。コネクタ３０の高さ（第１の底面部４２から上面部４６までの寸法）を、高さｈとする。嵌め込み部４１の高さ（第１の底面部４２から第２の底面部４４までの寸法）を、高さｈ１とする。第２の底面部４４から上面部４６までの寸法を、高さｈ２とする。
【００２６】
図２（ａ）を参照する。右側の鍔部４７周辺の構成は、コネクタ３０の中央を基準として、左側の鍔部４７周辺の構成と対称である。説明は省略する。
【００２７】
次に、本発明の効果について説明する。
【００２８】
図２（ａ）、図２（ｂ）を参照する。ハウジング４０のなかの下方に突出した嵌め込み部４１は、切り欠き部２３に嵌め込まれている。即ち、回路基板２０の厚み方向において、回路基板２０と嵌め込み部４１は、重なっており、嵌め込み部４１の高さｈ１が、回路基板２０の厚みＤに吸収されている。ハウジング４０の高さｈの内、ハウジング４０の実質的な高さは、第２の底面部４４から上面部４６までの寸法である高さｈ２となる。結果、回路基板２０の厚みＤに吸収された高さｈ１の寸法分、電子制御装置１０の高さＨを低くすることができ、電子制御装置１０を小型化することができる。
【００２９】
なお、切り欠き部２３を形成する位置は、回路基板２０の外形となる矩形の辺上だけでなく、矩形の角の部位でもよい。嵌め込み部４１の高さｈ１と、基板の厚みＤは、等しくなくてもよく、高さｈ１が厚みＤよりも短くても良い。
【００３０】
本発明による電子制御装置は、車両に限らず、他の乗り物にも搭載することができる。即ち、本発明の作用及び効果を奏する限りにおいて、本発明は、実施例に限定されるものではない。
【産業上の利用可能性】
【００３１】
本発明の電子制御装置は、乗用車に好適である。
【符号の説明】
【００３２】
１０…電子制御装置、２０…回路基板、２１…実装面部、２２…平面部、２３…切り欠き部、２４…縁部、２５…第１の直線部、２６…第２の直線部、２７…固定穴、２８…鉛直面部、３０…コネクタ、４０…ハウジング、４１…嵌め込み部、４２…第１の底面部、４３…第１の側面部、４４…第２の底面部、４５…第２の側面部、４６…上面部、４７…鍔部
４８…突出部（固定ピン）、Ｈ…電子制御装置の高さ、Ｄ…回路基板の厚み、ｈ…コネクタの高さ、ｈ１…嵌め込み部の高さ、ｈ２…第２の底面部４４から上面部４６までの寸法
【図１】
2019046602.tif 000003
【図２】
2019046602.tif 000004